(57)【特許請求の範囲】
【請求項１】
開口部を有するシャーシ、このシャーシの頂部に設けられた係止部、前記開口部に配設され透光性カバーを含んで構成される開口カバーおよび前記係止部よりも開口カバー側のシャーシの位置に設けられたネジ穴からなる器具本体と；
器具本体に収納される光源ランプと；
シャーシの係止部に嵌合する開閉金具および前記係止部に嵌合した状態の開閉金具の前記ネジ穴に対向する位置に形成された貫通穴を有し、開口カバーの頂部に取り付けられ、器具本体のシャーシと開口カバーとを固着するラッチ装置と；
開閉金具がシャーシの係止部に嵌合した状態で開閉金具の貫通穴を貫通してシャーシのネジ穴に固定され、シャーシと開閉金具とを固着するネジと；
を具備していることを特徴とする照明器具。
【発明の詳細な説明】
【０００１】
【発明の属する技術分野】
本発明は、街路灯、トンネル照明などに使用される照明器具に関する。
【０００２】
【従来の技術】
従来から、トンネル用照明器具および街路灯などにおいては、照明器具内部に雨、露、ほこりなどが侵入しないように密閉構造となっている場合が多い。また、街路灯やトンネル用照明器具などは、高所や交通量の多いところに設置されるためランプの保守など器具のメンテナンス時および器具の取り付けの作業を簡略化できるような構造が望まれている。
【０００３】
このため、実公昭３８−４６３号公報には、灯体の下面に蝶着軸をもって灯体とグローブを開閉自在に保持しかつ灯体に軸着し弾板を持って押圧した爪を灯体に取り付けられた筒を装着したネジに係合してグローブを灯体に保持するグローブ保持装置（従来例１）が開示されている。
【０００４】
また、実開昭５１−６３６８９号公報には、照明器具本体ケースの前方開口部に前面ガラスをヒンジ装置、ラッチ装置などにより開閉自在に取り付けてなる密閉型照明器具（従来例２）が開示されている。
【０００５】
【発明が解決しようとする課題】
しかしながら、従来例１のようにグローブと灯体を爪および筒を装着したネジに係合させて保持させ、爪部を灯体に軸着した弾板にて押圧させた構造では、街路灯のように風の影響や道路を往来する車両の影響によって振動を受けやすいものであると、たとえグローブと灯体を係合させている爪部を弾板によって押圧していても、爪部が外れてグローブが開放される虞がある。
【０００６】
また、従来例２のように、前面ガラスと照明器具本体とをラッチ装置で取り付けたものであっても、振動によって、照明器具の前面ガラスが開放する虞のあるものである。
【０００７】
本発明は、街路灯やトンネル用照明器具など用に振動の影響を受けやすい場所に設置される照明器具においても開口カバーとシャーシの固定を強固にしかつ照明器具のメンテナンスまたは設置作業においても開口カバーの開閉作業を煩雑とさせない照明器具を提供することを目的とする。
【０００８】
【課題を解決するための手段】
請求項1の照明器具は、開口部を有するシャーシ、このシャーシの頂部に設けられた係止部、前記開口部に配設され透光性カバーを含んで構成される開口カバーおよび前記係止部よりも開口カバー側のシャーシの位置に設けられたネジ穴からなる器具本体と；器具本体に収納される光源ランプと；シャーシの係止部に嵌合する開閉金具および前記係止部に嵌合した状態の開閉金具の前記ネジ穴に対向する位置に形成された貫通穴を有し、開口カバーの頂部に取り付けられ、器具本体のシャーシと開口カバーとを固着するラッチ装置と；開閉金具がシャーシの係止部に嵌合した状態で開閉金具の貫通穴を貫通してシャーシのネジ穴に固定され、シャーシと開閉金具とを固着するネジと；を具備している。
【０００９】
本発明において、特に指定しない限り、用語の定義および技術的な意味は次による。
【００１０】
器具本体は、開口部を有するシャーシおよび開口部に配設され透光性カバーを含んで構成される開口カバーにて構成される。透光性カバーは、強化ガラスおよびポリカーボネイト等の乳白色または透光性プラスチックによって形成される。また、透光性カバーは外面および内面のいずれか一方または両方に、光制御用の手段たとえばプリズム、レンズまたは光拡散用の多数の凸部または凹部などを形成してもよい。また、透光性カバーの外表面に光触媒機能を有する酸化チタンなどの薄膜を塗布することもできる。また、開口カバーのすべてを透光性カバーにて構成することも許容する。また、シャーシの一部またはすべてを透光性部材で構成することも許容する。
【００１１】
光源ランプは、蛍光ランプ、メタルハライドランプおよび高圧ナトリウムランプなどの高圧放電ランプ、無電極放電ランプのような放電ランプを許容する。光源ランプは、器具本体内に収納され、要すれば光源ランプの光を効果的に反射する反射体を器具本体内に備えることも許容する。
【００１２】
ラッチ装置は、係止部に開閉金具の一端を係合させて固着させるもので、開口カバーに一体的に形成することも許容する。開閉金具は、係止部に対向する開口カバーの側に配設する。開閉金具は、例えばシャーシの係止部にコの字状のクランプ部材を介して回転伸縮可能に接続される。また、ばねなどの弾性部材を介して回転伸縮可能に接続しても構わない。ラッチ装置は、市販のパチン錠などを用いることが可能である。
【００１３】
開閉金具には、ネジを貫通する貫通穴が設けられており、開閉金具が係止部に嵌合した場合に貫通穴と対応するネジ穴がシャーシに設けられ、貫通穴を介してネジをネジ穴に固着させて、器具本体のシャーシと開閉金具とを固定する。固着手段としては、一般的にはネジなどが用いられる。
【００１４】
または、開閉金具に固着手段と嵌合可能な凸部または凹部を設け、固着手段として、凹部または凸部を形成した固着金具によって開閉金具を固着させる事も許容する。この場合固着金具は器具本体に回動可能なクランプばねに取付することまたはクランプバネにて凸部を形成したものでもよい。クランプバネを用いることで、クランプバネの弾性力でラッチ装置の開閉金具を押し付け固着させる事ができる。また、工具などを用いることなく開閉金具を器具本体に固着させる事ができるものである。クランプバネで押さえる場合には、開閉金具の正面を押さえる、または開閉金具の下部を押し上げるように取り付けるなどを許容する。
【００１５】
本発明によれば、開口カバーに取り付けられたラッチ装置の開閉金具がシャーシに設けられた係止部に嵌合した状態で、開閉金具がネジによりシャーシに固着されるので、ラッチ装置が振動などによって外れることが抑制される。
【００１６】
【発明の実施の形態】
本発明の照明器具の第一の実施形態を図１または図２を参照して説明する。なお、これらの図中、同一または相当部分には同一符号を付して、重複した説明の記載は省略または簡略化している。図１は本実施形態に係る例えば道路灯などに用いられる照明器具を下から見た斜視図である。また、図２は同じく照明器具の一部側面断面図、図３は、ラッチ装置の斜視図である。
【００１７】
１は直線形ポール用の道路灯であり、道路灯１は、開口カバー１１と、シャーシ１２から器具本体１０が構成される。開口カバー１１は、アルミダイキャストで形成された開口カバー部１３および透光性カバー１４を備えて、直線形ポール３の上側に取付けられている。透光性カバー１４の縁部と開口カバー部１３の照射開口縁部の間にはゴム製のパッキン（図示しない）が設けられている。そうして、シャーシ１２の下側開口面と開口カバー１１の上側開口面がパッキン１６を介して接合され、内部を密閉している。
【００１８】
器具本体１０内部には、光源ランプ２として水銀ランプがソケット（図示しない）を介して配設されている。
【００１９】
ラッチ装置１５の詳細を図３に示す。ラッチ装置１５は開閉金具２０、開閉金具２０を回転伸縮させるクランプ金具２１、クランプ金具２１を開口カバー１１に取り付ける取付基板２２およびクランプ金具２１を開閉金具２０に取り付ける取付金具２３および取付金具２３を固定するネジ２４から構成される。そうして、取付基板２２は、開口カバー１１の頂部にネジ（図示しない）によって固着される。
【００２０】
シャーシ１２と開口カバー１１は、開閉金具２０が図２に示す係止部１７を係止することにより、閉じた状態で固定している。係止部１７は、シャーシ１２の頂部にシャーシ１２と一体的に形成されている。また、シャーシ１２と開口カバー１１の接合面にあるパッキン１６が、シャーシ１２および開口カバー１１を常に弾性的に押圧し、開閉金具２０は係止部１７に固着される。
【００２１】
開閉金具２０には、貫通穴２５が設けられている。シャーシ１２には、ラッチ装置１５の開閉金具２０がシャーシ１２の係止部１７に嵌合した状態で、シャーシ１２の頭部で貫通穴２５と対向した位置にネジ穴１８が設けられている。ネジ３０は、貫通穴２５を貫通してネジ穴１８に固定される。
【００２２】
本実施形態によれば、ラッチ装置１５によって結合したシャーシ１２と開口カバー１３をさらに、ネジ３０によって固着しているため、道路やトンネルなど振動の多い場所に取り付けられる照明器具１であっても、振動によってラッチ装置１５が開放することを抑止できる。また、固着手段であるネジ３０は、ラッチ装置１５の開閉金具２０が係止部１７に結合され、締結されないと開閉金具２０の貫通穴２５とシャーシ１２のネジ穴１８が勘合できないため、ラッチ装置１５の締結を確実にすることができる。
【００２３】
また、図４に第２の実施形態を示す。本実施形態では、器具本体１０のシャーシ１２側の固定ネジ３０が取り付けられる部分にも貫通穴４１を施し、シャーシ１２のこの部分の裏側に固定金具５を固定ネジ５１にて取り付けている。固着手段であるネジ３０には、抜け止めワッシャー（栃木屋製  ＴＭ−１４７）４が取り付けられており、固定ネジ３０が落下するのを防止する。この抜け止めワッシャー４は、丁度シャーシ１２に設けられた貫通穴４１に収納される。そしてこのネジ３０は固定金具５と固定される。
【００２４】
本実施形態によれば、固着手段であるネジ３０に抜け止めワッシャー４を取り付けるスペースが生まれたため、ネジ３０に抜け止めワッシャー４を装着する事ができ、メンテナンス時などに不用意にネジ３０が落下するのを抑止する事ができる。
【００２５】
次に、図５を参照して第３の実施形態を説明する。本実施形態は、固着手段としてクランプバネ３１を配設したものである。クランプバネ３１は、シャーシ１２の頭部に回動可能に取り付けられている。クランプバネ３１の中央には、凸部３２が設けられており、開閉金具２０には、この凸部３２に嵌合する凹部２１が設けられており、開閉金具２０は、凸部３２と当接可能である。また、図中点線で示したクランプバネ３１は、開閉金具２０を固定する前の状態を表している。
【００２６】
本実施形態によれば、開口カバー１１に取り付けたラッチ装置１５をシャーシ１２の係止部１７に係止させて固着させた後、クランプバネ３１を点線から実線で示された位置に回転させてクランプバネ３１の凸部３２と開閉金具２０の凹部２１を嵌合させる。そうすると、クランプバネ３１の弾性力によって開閉金具２０を押さえる事ができる。そうすることで開閉金具２０は、振動によって開放する事を抑止できる。また、固着手段は、ドライバなどの工具を必要とすることなく固着できるので設置時やメンテナンス時においても、作業が煩雑となる事がない。
【００２７】
【発明の効果】
請求項１の発明によれば、開口カバーに取り付けられたラッチ装置の開閉金具がシャーシに設けられた係止部に嵌合した状態で、開閉金具がネジによりシャーシに固着されるので、ラッチ装置が振動などによって外れることを抑制できる照明器具を提供することができる。
【図面の簡単な説明】
【図１】本発明の第１の実施形態照明器具の正面図。
【図２】同じく一部側面断面図。
【図３】同じくラッチ装置１５の詳細図。
【図４】本発明の第２の実施形態照明器具の正面図。
【図５】本発明の第３の実施形態照明器具の要部拡大図。
【符号の説明】
１…照明器具、  ２・・・光源ランプ  １２…シャーシ、  １１…開口カバー、  １４・・・透光性カバー、  １５・・ラッチ装置、  ２０…開閉金具、  １７…係止部、  ３０固着手段であるネジ
【図１】
0004123413.tif 000002
【図２】
0004123413.tif 000003
【図３】
0004123413.tif 000004
【図４】
0004123413.tif 000005
【図５】
0004123413.tif 000006